(57)【要約】    【課題】尾引きのあるぼやけた画像表示となるのを防止し、さらに、各領域間（１画面全体）の明るさの均一性および各領域内における明るさの均一性をより高める。    【解決手段】電気光学変調装置（液晶表示パネル１１）のパネル面を複数に区分して得られた各領域Ａ１，Ａ２，Ａ３を照明する各領域ごとの固体光源Ｌ１１〜Ｌ１５，Ｌ２１〜Ｌ２５，Ｌ３１〜Ｌ３５と、前記固体光源の点灯制御を行う光源制御部１０２とを有し、光源制御部１０２は、電気光学変調装置への画像データの書き込みに同期して前記各領域ごとの固体光源に対する点灯制御を行い、該点灯制御は、１画面分の画像データ書き込み期間において、前記複数の領域のうちの少なくとも１つの領域に対応する固体光源が消灯状態となるような点灯制御を行う。さらに、各領域間（１画面全体）の明るさの均一性および各領域内における明るさの均一性をより高めるための点灯制御などを行う。【選択図】  図２
2006154025.tif 000002
【特許請求の範囲】
【請求項１】
電気光学変調装置の画像形成領域を複数に区分して得られた各領域を照明する各領域ごとの光源と、
前記光源の点灯制御を行う光源制御部とを有し、
前記光源点灯制御部は、前記電気光学変調装置への画像データの書き込みに同期して前記各領域ごとの光源に対する点灯制御を行い、該点灯制御は、１画面分の画像データ書き込み期間において、前記複数の領域のうちの少なくとも１つの領域に対応する光源が消灯状態となるような点灯制御であることを特徴とする画像表示装置。
【請求項２】
請求項１に記載の画像表示装置において、
前記光源は、固体光源であることを特徴とする画像表示装置。
【請求項３】
請求項１または２に記載の画像表示装置において、
前記複数の領域のうちの少なくとも１つの領域に対応する光源が消灯状態となるような点灯制御は、前記各領域ごとの光源が、順番に所定時間だけ点灯状態となる点灯制御であることを特徴とする画像表示装置。
【請求項４】
請求項１〜３のいずれかに記載の画像表示装置において、
前記複数の領域のうちの少なくとも１つの領域に対応する光源のみが消灯状態となるような点灯制御は、画像データの書き込みを行っている領域については、該領域における画像データの書き込みタイミングに対し所定時間だけ遅延させて該領域に対応する光源を点灯させることを特徴とする画像表示装置。
【請求項５】
請求項１〜４のいずれかに記載の画像表示装置において、
前記光源制御部は、各領域ごとの光源に対し、前記各領域間の照度の均一性を高めるための点灯制御を行うことを特徴とする画像表示装置。
【請求項６】
請求項５に記載の画像表示装置において、
前記各領域間の照度の均一性を高めるための点灯制御は、前記各領域のうち照度の低い領域の照度に他の領域の照度を合わせる点灯制御であることを特徴とする画像表示装置。
【請求項７】
請求項１〜６のいずれかに記載の画像表示装置において、
前記光源制御部は、各領域ごとの光源が複数の光源で構成されている場合、これら複数の光源に対し、各領域内における照度の均一性を高めるための点灯制御を行うことを特徴とする画像表示装置。
【請求項８】
請求項７に記載の画像表示装置において、
前記各領域内における照度の均一性を高めるための点灯制御は、前記各領域内のうち照度の低い部分の照度に他の部分の照度を合わせる点灯制御であることを特徴とする画像表示装置。
【請求項９】
請求項１〜８のいずれかに記載の画像表示装置において、
前記各領域ごとの光源と前記電気光学変調装置の各領域との間に各領域ごとの拡散板を設けたことを特徴とする画像表示装置。
【請求項１０】
請求項９に記載の画像表示装置において、
前記各領域ごとの拡散板は、前記光源からの光の拡散の度合いが各拡散板の面上で異なる拡散性能を有することを特徴とする画像表示装置。
【請求項１１】
請求項１０に記載の画像表示装置において、
前記拡散性能は、前記光源からの光の拡散の度合いが前記領域の辺付近よりも該領域の中心付近でより大きい拡散性能であることを特徴とする画像表示装置。
【請求項１２】
請求項９〜１１のいずれかに記載の画像表示装置において、
前記各領域ごとの拡散板と各領域ごとの光源との間に他の領域に対応する光源からの光を遮蔽する遮蔽板を設けたことを特徴とする画像表示装置。
【請求項１３】
請求項１〜８のいずれかに記載の画像表示装置において、
前記各領域ごとの光源と前記電気光学変調装置の各領域との間に、各領域ごとのロッドインテグレータを設けたことを特徴とする画像表示装置。
【請求項１４】
請求項１３に記載の画像表示装置において、
前記各領域ごとのロッドインテグレータは、対応する領域において複数のロッドインテグレータを並べて構成されることを特徴とする画像表示装置。
【請求項１５】
請求項１４に記載の画像表示装置において、
前記複数のロッドインテグレータの個々のロッドインテグレータは、その断面が正方形または正方形に近い形状であることを特徴とする画像表示装置。
【請求項１６】
請求項１〜１５のいずれかに記載の画像表示装置において、前記画像データの画素値の制御が可能な画像データ表示制御部をさらに有し、該画像データ表示制御部により、前記領域の境界付近の照度と該領域の中心付近の照度との差をより小さくするための画素値の制御を行うことを特徴とする画像表示装置。
【発明の詳細な説明】
【技術分野】
【０００１】
本発明は、電気光学変調装置を用いた画像表示装置に関する。
【背景技術】
【０００２】
液晶表示パネル（以下では液晶装置という）などのホールド型の表示モードを有する電気光学変調装置を用いた画像表示装置は、動画像の表示を行う場合、この種の電気光学変調装置の特性により尾引きのあるぼやけた画像表示となる。これは、インパルス的な画像出力を行うＣＲＴ（陰極線管）ディスプレイにはない現象である。
【０００３】
このような尾引きのあるぼやけた画像表示となるのを防止するためには、ＣＲＴと同じようにインパルス的な画像出力がなされるような制御を行えばよい。その一例としては、たとえば、電気光学変調装置（以下では、液晶装置を例にして説明する）を照明するための光を液晶装置面に対して間欠的に照射させる方法や、液晶装置を水平方向の走査線に沿って複数に区分して得られた各領域ごとにスクロールさせる方法がある（たとえば、特許文献１〜５参照）。
【０００４】
特許文献１は、シャッタの開閉動作によって、光源からの光を液晶装置面に対して、１フィールド期間のある一定時間のみ照射させるような制御を行うものであり、光源からの光を液晶装置に対して間欠的に照射させる方法に分類されるものであるといえる。
【０００５】
特許文献１は、具体的には、光源ランプから液晶装置を通って視聴者にいたる光路上にシャッタを配置し、このシャッタの開口率（１フィールド期間内において光を透過させる時間率）を制御することで、各フィールドにおいて一定時間のみ、視聴者に対して画像表示を行うように制御するものである。このようなシャッタ制御を行うことにより、尾引きのあるぼやけた画像表示となるのを防止するようにしている。また、シャッタを開く一定時間は１フィールド期間内の後半とすることによって、液晶装置の応答が安定状態となった時点で表示を行うようにしている。
【０００６】
一方、特許文献２〜５は、帯状の光を液晶装置面を垂直方向にスクロールさせる方法に分類されるものである。
これら特許文献２〜５のうち、特許文献２は、光源からの光に循環的な偏向を生じさせるレンズアレイホイールを設け、このレンズアレイホイールによって、液晶装置上で光を循環的にスクロールさせるものである。また、この特許文献２においても、液晶装置の応答が遅いことを考慮して、点灯タイミングをそのブロックの書き込みに対して一定時間遅延させる制御を行っている。
【０００７】
また、特許文献２には他の実施形態として、一部に渦巻き状の透明部分を有するスクロール円盤をレンズアレイホイールの代わりに設けて、このスクロール円盤を回転させることによって、渦巻状の光透過部を透過した光を液晶装置上でスクロールさせる方法も示されている。
【０００８】
また、特許文献２〜５のうちの特許文献３〜５は、蛍光灯などの放電ランプを液晶装置の垂直方向の複数の領域に対応して配置し、各放電ランプの点灯を液晶装置の書き込みタイミングと同期して行うもので、それによって、尾引きのあるぼやけた画像表示となるのを防止している。また、これら特許文献３〜５においても、液晶装置の応答が遅いことを考慮して、画像データ書き込み中の領域に対応する放電ランプの点灯タイミングをその領域の書き込みに対して一定時間遅延させることが示されている。
【０００９】
ところで、上述したような尾引きのあるぼやけた画像表示となるのを防止するために、上述した各特許文献１〜５に記載された技術、すなわち、インパルス的な画像出力がなされるような制御として、たとえば、液晶装置を照明するための光を液晶装置面に対して間欠的に照射させる方法や、液晶装置の各領域ごとに光スクロールさせる方法を採用すると、輝度が不足し、コントラストが低下して動画の迫力が低下するという問題が生じる。
これを解決するには、バックライトの輝度を高くすることが考えられるが、バックライトの輝度を高くすると、今度は元々輝度の低い場面などの画像において、画面全体画が白っぽくなるという問題が出てくる。
【００１０】
これに対処する技術として、たとえば、特許文献６がある。特許文献６は、映像信号の輝度レベルを検出し、検出された最大輝度レベルに応じて各領域ごとの適応調光処理（光源固体の点灯制御と画素値の制御）を行うものである。これにより、最大輝度レベルの高い映像すなわち明るい映像の場合には、画像表示期間を長くして輝度を高くし、逆に、最大輝度レベルの低い映像すなわち暗い映像の場合には、画像表示期間を短くして、ボケの少ない切れのある動画を表示させるというものである。
【００１１】
【特許文献１】特開平９−３２５７１５号公報
【特許文献２】特開２００４−４４６３号公報
【特許文献３】特開２００１−２３５７２０号公報
【特許文献４】特開２００２−６８１５号公報
【特許文献５】特開平１１−２０２２８６号公報
【特許文献６】特開平２００２−４０３９０号公報
【発明の開示】
【発明が解決しようとする課題】
【００１２】
上述の各特許文献１〜６のうちの各特許文献１〜５によれば、いずれも、尾引きのあるぼやけた画像表示となるのを防止する一定の効果は期待できると考えられる。
【００１３】
しかしながら、特許文献１は、シャッタを用いて光源からの光を液晶装置の全面に対して一定時間のみ照射させるような制御を行うものであり、シャッタを開く時間を１フィールド期間の後半の所定時間（たとえば、１フィールドの１／２または１／４の時間）としている。このため、１フィールド期間の画像データの書き込みは、シャッタの開く前までに行っておく必要があり、画像データを高速に書き込むことが要求される。また、シャッタとしてポリマ分散液晶や強誘電性液晶などの液晶を用いたシャッタを用いているため、開閉時の応答に問題もある。
【００１４】
また、特許文献２は、スクロール照射を行わせるために、レンズアレイホイールまたはスクロール円盤を回転させる機構が必要となり、また、液晶装置上を決められたタイミングで光を正確にスクロールさせるための高精度な回転制御が必要となる問題がある。
【００１５】
また、特許文献３〜５の技術は、液晶装置のバックライトとして、いずれも蛍光灯などの放電ランプを用いている。このため、瞬時点灯・瞬時消灯が行えないため、きめ細かな点灯制御が行ええないとともに、点灯・消灯を高精度なタイミングで行うのは困難であるという問題がある。また、放電ランプは、点灯の立ち上がり時に輝度ムラ・色ムラが生じるという問題もある。
また、特許文献６は、上述したように、適応調光処理を行うものであり、これにより、ボケの少ない切れのある動画を再生する際に所定の効果が期待できるものと考えられる。
【００１６】
しかしながら、これら特許文献１〜６を用いても、液晶装置を用いた画像表示装置の画質向上には、さらなる課題も多い。たとえば、上述したように、各領域ごとに照明を行うような場合、各領域間（１画面全体）の明るさの均一性および各領域内における明るさの均一性をより高いものとする必要ある。
【００１７】
各領域間（１画面全体）の明るさの均一性および各領域における明るさの均一性をより高めるために、拡散板やロッドインテグレータなどを設ける技術は従来から数多く提案されている。しかしながら、拡散板やロッドインテグレータを設けても領域間（１画面全体）の明るさの均一性および各領域における明るさの均一性が十分に得られるものではなく、さらなる改善が必要であった。
【００１８】
そこで本発明は、瞬時点灯・瞬時消灯が可能で、点灯の立ち上がり時における輝度ムラ・色ムラの少ない照明を可能とし、かつ、尾引きのあるぼやけた画像表示となるのを防止し、さらに、各領域間（１画面全体）の明るさの均一性および各領域内における明るさの均一性をより高めることが可能な画像表示装置を提供することを目的とする。
【課題を解決するための手段】
【００１９】
（１）本発明の画像表示装置は、電気光学変調装置の画像形成領域を複数に区分して得られた各領域を照明する各領域ごとの光源と、前記光源の点灯制御を行う光源制御部とを有し、前記光源点灯制御部は、前記電気光学変調装置への画像データの書き込みに同期して前記各領域ごとの光源に対する点灯制御を行い、該点灯制御は、１画面分の画像データ書き込み期間において、前記複数の領域のうちの少なくとも１つの領域に対応する光源が消灯状態となるような点灯制御であることを特徴とする。
【００２０】
このように、光源を電気光学変調装置のパネル面の各領域に対応して設け、各領域ごとの固体光源に対し、１画面分の画像データ書き込み期間において、複数の領域のうち、少なくとも１つの領域に対応する固体光源が消灯状態となるような点灯制御を行うようにしているので、ある１画面（１フレーム）全体の表示状態が次のフレームまで保持されることがなくなり、尾引きのあるぼやけた画像表示となるのを抑制することができる。
【００２１】
（２）前記（１）に記載の画像表示装置においては、前記光源は、固体光源であることが好ましい。
このように、光源として固体光源を用いることにより、瞬時点灯・瞬時消灯が可能で、点灯の立ち上がり時における輝度ムラ・色ムラの少ない照明が可能となる。また、瞬時点灯・瞬時消灯が可能であるということは、高精度でかつ自由なタイミングでの点灯制御が可能となり、これにより、きめ細かで高精度な点灯制御が可能となる。
【００２２】
（３）前記（１）または（２）に記載の画像表示装置においては、前記複数の領域のうちの少なくとも１つの領域に対応する光源が消灯状態となるような点灯制御は、前記各領域ごとの光源が、順番に所定時間だけ点灯状態となる点灯制御であることが好ましい。
これにより、１画面を構成する複数の領域が、それぞれ対応する固体光源によって順次照明、すなわち、スクロール照明されるので、尾引きのあるぼやけた画像表示となるのを、より効果的に抑制することができる。
【００２３】
（４）前記（１）〜（３）のいずれかに記載の画像表示装置において、前記複数の領域のうちの少なくとも１つの領域に対応する固体光源のみが消灯状態となるような点灯制御は、画像データの書き込みを行っている領域については、該領域における画像データの書き込みタイミングに対し所定時間だけ遅延させて該領域に対応する光源を点灯させることが好ましい。
これにより、たとえば、電気光学変調装置として液晶装置を用いた場合、液晶装置の応答が十分安定した状態となった時点で、該領域に対して照明を行うことができる。これによって、液晶装置の応答遅れを考慮した点灯制御を行うことができ、高品質な画像表示が可能となる。
【００２４】
（５）前記（１）〜（４）のいずれかに記載の画像表示装置においては、前記光源制御部は、各領域ごとの光源に対し、前記各領域間の照度の均一性を高めるための点灯制御を行うことが好ましい。
これにより、１画面全体の照度の均一性を高めることができ、各領域の境界を目立たなくすることができる。なお、この点灯制御は、各領域ごとの光源に対し、点灯時間を制御する点灯時間制御（パルス幅変調を含む）、電圧制御などによって実現可能となる。
【００２５】
（６）前記（５）に記載の画像表示装置においては、前記各領域間の照度の均一性を高めるための点灯制御は、前記各領域のうち照度の低い領域の照度に他の領域の照度を合わせる点灯制御であることが好ましい。
これにより、１画面全体の照度の均一性を高めることができる。
【００２６】
（７）前記（１）〜（６）のいずれかに記載の画像表示装置においては、前記光源制御部は、各領域ごとの光源が複数の光源で構成されている場合、これら複数の光源に対し、各領域内における照度の均一性を高めるための点灯制御を行うことが好ましい。
これにより、個々の領域内の照度の均一性を高めることができる。なお、この点灯制御は、各領域における複数の光源に対し、前述したように、点灯時間を制御する点灯時間制御（パルス幅変調を含む）、電圧制御などを行うことで実現可能となる。
【００２７】
（８）前記（７）に記載の画像表示装置においては、前記各領域内における照度の均一性を高めるための点灯制御は、前記各領域内のうち照度の低い部分の照度に他の部分の照度を合わせる点灯制御であることが好ましい。
これにより、個々の領域内の照度の均一性を高めることができる。
【００２８】
（９）前記（１）〜（８）のいずれかに記載の画像表示装置においては、前記各領域ごとの光源と前記電気光学変調装置の各領域との間に、各領域ごとの拡散板を設けることが好ましい。
このように、拡散板を設けることにより、光源からの光を液晶装置の対応する領域に対して高い均一性で照射することができる。また、拡散板は奥行き方向の寸法が小さいので、画像表示装置全体を小型化するに有利であるといった利点もある。
【００２９】
（１０）前記（９）に記載の画像表示装置においては、前記各領域ごとの拡散板は、前記光源からの光の拡散の度合いが各拡散板の面上で異なる拡散性能を有することが好ましい。
このような拡散性能を有する拡散板を用いることにより、より効果的に照度の均一性を高めることができ、それによって、各領域内での照度ムラを最小限に抑えることができる。
【００３０】
（１１）前記（１０）に記載の画像表示装置においては、前記拡散性能は、前記光源からの光の拡散の度合いが前記領域の辺付近よりも該領域の中心付近でより大きい拡散性能であることが好ましい。
このような拡散性能を有する拡散板を用いることにより、より効果的に照度の均一性を高めることができ、各領域内での照度ムラを最小限に抑えることができる。
【００３１】
（１２）前記（９）〜（１１）のいずれかに記載の画像表示装置においては、前記各領域ごとの拡散板と各領域ごとの光源との間に、他の領域に対応する固体光源からの光を遮蔽する遮蔽板を設けることも好ましい。
これにより、各領域ごとの固体光源からの光を対応する領域に効果的に照射させることができる。
【００３２】
（１３）前記（１）〜（８）のいずれかに記載の画像表示装置においては、前記各領域ごとの光源と前記電気光学変調装置の各領域との間に、ロッドインテグレータを設けることが好ましい。
このように、ロッドインテグレータを設けることにより、各領域内における照度の均一性を高くすることができ、各領域内での照度ムラを最小限に抑えることができる。
【００３３】
（１４）前記（１３）に記載の画像表示装置においては、前記各領域ごとのロッドインテグレータは、対応する領域において複数のロッドインテグレータを並べて構成されることが好ましい。
このように、個々の領域内で複数のロッドインテグレータを並べた構成することにより、該領域内において、照度の均一性をより一層高めることができ、各領域内での照度ムラを最小限に抑えることができる。
【００３４】
（１５）前記（１４）に記載の画像表示装置においては、前記複数のロッドインテグレータの個々のロッドインテグレータは、その断面が正方形または正方形に近い形状であることが好ましい。
これにより、照度の均一性をより一層高めることができ、各領域内での照度ムラを最小限に抑えることができる。
【００３５】
（１６）前記（１）〜（１５）のいずれかに記載の画像表示装置においては、前記画像データの画素値の制御が可能な画像データ表示制御部をさらに有し、該画像データ表示制御部により、前記領域の境界付近の照度と該領域の中心付近の照度との差をより小さくするための画素値の制御を行うことも可能である。
このように、各領域ごとにその領域内の画素値を制御することによっても該領域内の照度の均一性を高めることができる。
【発明を実施するための最良の形態】
【００３６】
以下、本発明の実施の形態について説明する。なお、以下に示す実施形態では、ホールド型の表示モードを有する電気光学変調装置を用いた画像表示装置としてプロジェクタを例にとり、また、電気光学変調装置は液晶装置であるとして説明を行う。なお、以下に示す各実施形態では、説明の簡単化のため、液晶装置を単板式とした例が示されている。
【００３７】
[実施形態１]
図１は本発明の実施形態１に係るプロジェクタの光学系を概略的に示す図である。図１（ａ）は側面図、図１（ｂ）は平面図である。なお、この図１は実施形態１の説明に必要としない構成要素についての図示は省略されている。
【００３８】
実施形態１に係るプロジェクタ１０は、電気光学変調装置としての液晶装置１１と、この液晶装置１１のバックライトとしての役目をなす複数個（実施形態１では図１の破線枠内に示すように垂直方向に３個、水平方向に５個としている）の光源（発光ダイオード（ＬＥＤ）などの固体光源であるとする）Ｌ１１〜Ｌ１５，Ｌ２１〜Ｌ２５，Ｌ３１〜Ｌ３５と、これら固体光源Ｌ１１〜Ｌ１５，Ｌ２１〜Ｌ２５，Ｌ３１〜Ｌ３５と液晶装置１１との間に設けられた拡散板１２１，１２２，１２３と、液晶装置１１の光射出側に設けられた投写レンズ１３とを有している。
【００３９】
なお、固体光源Ｌ１１〜Ｌ１５，Ｌ２１〜Ｌ２５，Ｌ３１〜Ｌ３５は、液晶装置１１の画像形成面としてのパネル面をたとえば水平方向の走査線に沿って３つに区分して得られた各領域Ａ１，Ａ２，Ａ３を照射するようにそれぞれの領域Ａ１，Ａ２，Ａ３ごとに設けられる。すなわち、固体光源Ｌ１１〜Ｌ１５は、液晶装置１１の領域Ａ１に対応して設けられ、また、固体光源Ｌ２１〜Ｌ２５は、液晶装置１１の領域Ａ２に対応して設けられ、また、固体光源Ｌ３１〜Ｌ３５は、液晶装置１１の領域Ａ３に対応して設けられる。
【００４０】
そして、固体光源Ｌ１１〜Ｌ１５と液晶装置１１の領域Ａ１との間には拡散板１２１が介在され、また、固体光源Ｌ２１〜Ｌ２５と液晶装置１１の領域Ａ２との間には拡散板１２２が介在され、また、固体光源Ｌ３１〜Ｌ３５と液晶装置１１の領域Ａ３との間には拡散板１２３が介在される。
これら各領域ごとに設けられた拡散板１２１，１２２，１２３は、液晶装置１１の各領域Ａ１，Ａ２，Ａ３において、各領域内の照度の均一性を高める機能を有している。
【００４１】
図２は図１で示したプロジェクタを制御するための制御部（プロジェクタ制御部１という）の概要を示すブロック図である。プロジェクタ制御部１は、投写すべき画像データに対する処理を行う画像データ処理機能と固体光源Ｌ１１〜Ｌ１５，Ｌ２１〜Ｌ２５，Ｌ３１〜Ｌ３５を点灯制御するための光源制御情報の生成を行う光源制御情報生成機能を有する画像データ表示制御部１０１と、画像データ表示制御部１０１によって生成された光源制御情報に基づいて固体光源Ｌ１１〜Ｌ１５，Ｌ２１〜Ｌ２５，Ｌ３１〜Ｌ３５の点灯制御を行う光源制御部１０２と、画像データ表示制御部１０１で処理された画像データを所定のタイミングで液晶装置１１に書き込むための処理を行う液晶装置ドライバ１０３などを有している。
【００４２】
次に、固体光源Ｌ１１〜Ｌ１５，Ｌ２１〜Ｌ２５，Ｌ３１〜Ｌ３５の点灯制御について説明する。上述したように、固体光源Ｌ１１〜Ｌ１５，Ｌ２１〜Ｌ２５，Ｌ３１〜Ｌ３５は、液晶装置１１のそれぞれ対応する領域Ａ１，Ａ２，Ａ３を照射するものであるが、画像データの書き込みに同期して、固体光源Ｌ１１〜Ｌ１５，Ｌ２１〜Ｌ２５，Ｌ３１〜Ｌ３５を、各フレーム内において、所定時間だけ点灯させるような点灯制御がなされる。この点灯制御は、画像データ表示制御部１０１で生成された光源制御情報に基づいて光源制御部１０２が行う。
【００４３】
なお、この点灯制御を行う際、画像データの書き込みを行っている領域については、該領域における画像データの書き込みタイミングに対し、所定時間だけ遅延させて該領域に対応する固体光源を点灯させるような点灯制御がなされる。このような点灯制御は、画像データの書き込みに対する液晶装置の表示の応答の遅さを考慮したものである。
【００４４】
図３は固体光源Ｌ１１〜Ｌ１５，Ｌ２１〜Ｌ２５，Ｌ３１〜Ｌ３５の点灯制御を説明するタイムチャートである。
図３（ａ）はある１フレームにおける領域Ａ１，Ａ２，Ａ３への書き込みを示すものである。Ｔ１は領域Ａ１への書き込み開始時点、Ｔ２は領域Ａ１への書き込み終了時点であり、Ｔ２で領域Ａ１への書き込みが終了したあと、次の領域Ａ２への書き込みが開始される。なお、ここでは、説明の簡単化のため、ある領域への書き込み終了時点と次の領域への書き込み開始時点は同じであるとして説明する。したがって、この場合、領域Ａ１への書き込み終了時点Ｔ２は領域Ａ２への書き込み開始時点でもある。また、Ｔ３は領域Ａ２への書き込み終了時点であり、このＴ３は領域Ａ３への書き込み開始時点でもある。また、Ｔ４は領域Ａ３への書き込み終了時点である。
【００４５】
図３（ｂ）〜（ｄ）は、各領域Ａ１，Ａ２，Ａ３への書き込み終了時点Ｔ２，Ｔ３，Ｔ４からの各領域の液晶の応答を示すものである。すなわち、各領域Ａ１，Ａ２，Ａ３におけるそれぞれの領域内の最下端の走査線への書き込みが行われれたのちの、該最下端の走査線に対する液晶の応答を示すものである。
【００４６】
たとえば、図３（ｂ）は、領域Ａ１への書き込み終了時点Ｔ２からの該領域Ａ１の液晶の応答を示すものである。この図３（ｂ）からもわかるように、領域Ａ１への書き込み終了時点Ｔ２すなわち領域Ａ１の最下端の走査線への書き込み終了時点Ｔ２から、所定時間Ｔｄ１後に、該領域Ａ１の最下端の走査線の液晶はほぼ安定した応答状態となる。この領域Ａ１の最下端の走査線の液晶がほぼ安定した応答状態となるタイミングをここでは、該領域Ａ１全体の液晶がほぼ安定した応答状態となるタイミングであるとする。
【００４７】
したがって、このタイミングで該領域Ａ１に対応する固体光源Ｌ１１〜Ｌ１５を点灯させるような点灯制御を行うこと望ましい。これは、領域Ａ１への書き込みの開始を基点に考えれば、図３（ｅ）に示すように、領域Ａ１への書き込みの開始時点Ｔ１から該領域Ａ１全体の液晶がほぼ安定した応答状態となるタイミングまでの時間（これをＴｄ２とする）が経過した後に、固体光源Ｌ１１〜Ｌ１５を点灯させればよいということである。
【００４８】
また、領域Ａ２に対応する固体光源Ｌ２１〜Ｌ２５の点灯制御も同様にして行う。すなわち、図３（ｃ）に示すように、領域Ａ２への書き込みの終了時点Ｔ３から所定時間Ｔｄ１後に、該領域Ａ２全体の液晶がほぼ安定した応答状態となるので、図３（ｆ）に示すように、領域Ａ２への書き込み開始時点Ｔ２から、該領域Ａ２全体の液晶がほぼ安定した応答状態となるまでの時間Ｔｄ２後に、固体光源Ｌ２１〜Ｌ２５を点灯させるような点灯制御を行う。また、領域Ａ３に対応する固体光源Ｌ３１〜Ｌ３５に対しても同様の点灯制御を行う（図３（ｄ）および（ｇ）参照）。
【００４９】
なお、各領域Ａ１，Ａ２，Ａ３に対応するそれぞれの固体光源Ｌ１１〜Ｌ１５，Ｌ２１〜Ｌ２５，Ｌ３１〜Ｌ３５の点灯時間は、それぞれ次の領域の固体光源が点灯を開始するまでの時間（これをＴｗで表す）とする。これにより、図３（ｅ）〜（ｇ）に示すように、各領域Ａ１，Ａ２，Ａ３に対応する固体光源Ｌ１１〜Ｌ１５，Ｌ２１〜Ｌ２５，Ｌ３１〜Ｌ３５は、順番に所定時間だけ点灯状態となる。
【００５０】
各領域Ａ１，Ａ２，Ａ３に対応する固体光源Ｌ１１〜Ｌ１５，Ｌ２１〜Ｌ２５，Ｌ３１〜Ｌ３５に対して、図３に示すような点灯制御を行うことで、ＣＲＴと同様なインパルス的な表示制御が可能となる。これにより、ホールド型の表示モードを有する液晶装置特有の尾引きのあるぼやけた画像表示となるのを防ぐことができる。
【００５１】
なお、各領域Ａ１，Ａ２，Ａ３に対応する固体光源Ｌ１１〜Ｌ１５，Ｌ２１〜Ｌ２５，Ｌ３１〜Ｌ３５は、順番に所定時間だけ点灯状態となるが、視聴者は明るさを積分した状態で見ることになるため、視聴者には１フレーム分（領域Ａ１，Ａ２，Ａ３）全体が点灯状態となっているかのように見える。
【００５２】
また、この点灯制御を行う際、画像データの書き込みを行っている領域については、該領域における画像データの書き込みタイミングに対し、所定時間だけ遅延させて該領域に対応する固体光源を点灯させるような点灯制御、すなわち、書き込み開始から、所定時間Ｔｄ２だけ遅延させて該領域の固体光源を点灯させるような点灯制御を行うようにしている。これによって、液晶装置が安定状態となった時点で固体光源を点灯させることができ、このような点灯制御を行うことによって、高品質な画像表示が可能となる。
【００５３】
また、この実施形態１では、固体光源Ｌ１１〜Ｌ１５，Ｌ２１〜Ｌ２５，Ｌ３１〜Ｌ３５に対応して拡散板１２１，１２２，１２３を設けているので、液晶装置１１の各領域Ａ１，Ａ２，Ａ３の照度の均一性を高めることができる。
【００５４】
また、光源として固体光源Ｌ１１〜Ｌ１５，Ｌ２１〜Ｌ２５，Ｌ３１〜Ｌ３５を用いることにより、瞬時点灯・消灯が可能で、かつ、輝度ムラ・色ムラの少ない照明が可能となる。また、瞬時点灯・瞬時消灯が可能であるということは、高精度でかつ自由なタイミングでの点灯制御が可能となり、これにより、図３に示すようなきめこまかい点灯制御を容易に実現することができる。
【００５５】
なお、各領域Ａ１，Ａ２，Ａ３間の照度すなわち１画面全体の照度をより均一なものとし、また、個々の領域Ａ１，Ａ２，Ａ３内の照度をより均一なものとするために、実施形態１に係るプロジェクタでは次の（ａ）〜（ｃ）に示すような対策をとる。
【００５６】
（ａ）各領域Ａ１，Ａ２，Ａ３ごとの固体光源Ｌ１１〜Ｌ１５，Ｌ２１〜Ｌ２５，Ｌ３１〜Ｌ３５に対し、各領域間の照度の均一性をより高めるための点灯制御を行う。
【００５７】
この点灯制御は、画像データ表示制御部１０１の有する光源制御情報生成機能によってで生成された光源制御情報に基づいて光源制御が行うものである。この場合の光源制御としては、たとえば、各領域Ａ１，Ａ２，Ａ３ごとの固体光源Ｌ１１〜Ｌ１５，Ｌ２１〜Ｌ２５，Ｌ３１〜Ｌ３５の電圧制御、点灯時間制御（パルス幅変調を含む）などを各領域ごとに行うといった点灯制御が考えられる。このとき、各領域Ａ１，Ａ２，Ａ３のなかで最も照度の低い領域を基準として、その最も照度の低い領域の照度に他の領域の照度を合わせるというような点灯制御を行う。
このような光源制御を行うことによって、液晶装置１１における各領域間の照度の均一性をより高いものとすることができる。
【００５８】
なお、各領域Ａ１，Ａ２，Ａ３ごとの固体光源Ｌ１１〜Ｌ１５，Ｌ２１〜Ｌ２５，Ｌ３１〜Ｌ３５の点灯制御を行う際、各領域Ａ１，Ａ２，Ａ３内において照度の均一性を高めるように、各領域Ａ１，Ａ２，Ａ３ごとの固体光源Ｌ１１〜Ｌ１５，Ｌ２１〜Ｌ２５，Ｌ３１〜Ｌ３５を各領域の個々の固体光源を個別に点灯制御させることも可能である。
【００５９】
たとえば、領域Ａ１を例に取れば、該領域Ａ１に対応する５個の固体光源Ｌ１１〜Ｌ１５に対し、５個の固体光源Ｌ１１〜Ｌ１５を個々に点灯制御（上述したように、電圧制御、点灯時間制御など）を行うことにより、領域Ａ１内の照度の均一性をより高くする。
【００６０】
このような点灯制御を各領域Ａ１，Ａ２，Ａ３ごとに行うことによって、各領域Ａ１，Ａ２，Ａ３において、領域内の照度の均一性も高めることができ、それにより、各領域間の照度をより均一なものとすることができる。なお、この場合の各領域Ａ１，Ａ２，Ａ３内における照度の均一性を高めるための点灯制御は、各領域内において照度の低い部分の照度に他の部分の照度を合わせるような点灯制御を行う。
【００６１】
（ｂ）各拡散板１２１，１２２，１２３は、各領域Ａ１，Ａ２，Ａ３における領域の中心付近（中心を含むものとする）と領域の辺付近（辺を含むものとする）との照度ムラを小さくすることができるような拡散性能を有した拡散板とする。
【００６２】
これを実現するには、各領域Ａ１，Ａ２，Ａ３ごとに設置された拡散板１２１，１２２，１２３の光の拡散の度合いが１つの拡散板の面上で異なるものを使用する。具体的には、各領域Ａ１，Ａ２，Ａ３ごとの固体光源Ｌ１１〜Ｌ１５，Ｌ２１〜Ｌ２５，Ｌ３１〜Ｌ３５の配列が図１のような配列であった場合、液晶装置１１の各領域Ａ１，Ａ２，Ａ３は、各拡散板１２１，１２２，１２３の水平方向の中心軸に沿った中心付近の照度が、各拡散板１２１，１２２，１２３の辺付近の照度よりも高くなるのが一般的である。したがって、両者の照度の差が小さくなるように、各拡散板１２１，１２２，１２３の中心付近の拡散の度合いが辺付近の拡散の度合いよりもより大きい拡散性能を有する拡散板を用いる。
【００６３】
図４は実施形態１で用いられる拡散板（図４では拡散板１２１を例示する）の拡散性能について説明する図である。なお、この図４は図１における拡散板１２１および液晶装置１１の領域Ａ１部分を拡大して示す図である。図４からもわかるように、拡散板１２１は、中心付近の拡散の度合いが拡散板の辺１２１ａ付近よりも大きい拡散性能を有している。
このような拡散性能を有した拡散板１２１，１２２，１２３を用いることによって、液晶装置１１の各領域Ａ１，Ａ２，Ａ３は、それぞれの領域内で照度の均一性がより高いものとなる。
【００６４】
（ｃ）画像データ表示制御部１０１の画像データ処理機能を用いて各領域Ａ１，Ａ２，Ａ３内における画素の画素値を制御する。このように、各領域内の画素の画素値を制御することによって、各領域内における照度の均一性を高めることが可能である。
【００６５】
なお、上述の（ａ）〜（ｃ）に示す処理は、それぞれを単独で用いることによって、所定の効果は得られるが、それぞれを組み合わせることによってより大きな効果が期待できる。
以上の（ａ）〜（ｃ）を採用することにより、各領域Ａ，Ａ２，Ａ３の照度の均一性をより高めることができ、また、１画面全体の照度の均一性をより高めることができる。
【００６６】
また、上述の（ａ）〜（ｃ）の少なくとも１つを行った上で、各領域ごとにその領域の最大輝度レベルに合わせた適応調光処理（固体光源の点灯制御と画像処理による画素値の制御）を行うことも可能である。なお、この適応調光処理は、動画の場合は、フレーム単位または連続する数フレーム単位で行う。
【００６７】
なお、実施形態１において、固体光源Ｌ１１〜Ｌ１５，Ｌ２１〜Ｌ２５，Ｌ３１〜Ｌ３５と拡散板１２１，１２２，１２３との間には、他の領域に対応する固体光源からの光を遮蔽する遮蔽板を設けるようにしてもよい。
【００６８】
図５は図１において固体光源Ｌ１１〜Ｌ１５，Ｌ２１〜Ｌ２５，Ｌ３１〜Ｌ３５と拡散板１２１〜１２３との間に遮蔽板１４１，１４２を設けた例を示す図である。この図５に示すような遮蔽板を設けることによって、各領域対応の固体光源Ｌ１１〜Ｌ１５，Ｌ２１〜Ｌ２５，Ｌ３１〜Ｌ３５から光は、それぞれ対応する拡散板のみに入射され、それによって、液晶装置１１の対応する領域Ａ１，Ａ２，Ａ３を高精度に照射することができる。
【００６９】
また、拡散板１２１，１２２，１２３としてホログラフィックディフューザを用いることも可能であり、ホログラフィックディフューザを用いることで、より一層、均一性の高い照度を得ることができる。また、長方形に近い楕円形の整形投影なども可能となる。
【００７０】
[実施形態２]
図６は本発明の実施形態２に係るプロジェクタの光学系を概略的に示す図である。図６（ａ）は側面図で、図６（ｂ）は平面図である。なお、この図６は実施形態２の説明に必要としない構成要素についての図示は省略されている。
【００７１】
この図６に示す実施形態２に係るプロジェクタ２０が実施形態１のプロジェクタ１０と異なるのは、実施形態１で用いられている拡散板１２１，１２２，１２３の代わりにロッドインテグレータ２０１，２０２，２０３を用いた点であり、図１と同一部分には同一符号が付されている。
【００７２】
ロッドインテグレータ２０１は固体光源Ｌ１１〜Ｌ１５と液晶装置１１の領域Ａ１との間に設けられ、ロッドインテグレータ２０２は固体光源Ｌ２１〜Ｌ２５と液晶装置１１の領域Ａ２に対応して設けられ、ロッドインテグレータ２０３は固体光源Ｌ３１〜Ｌ３５と液晶装置１１の領域Ａ３に対応して設けられている。
【００７３】
また、実施形態２におけるプロジェクタ２０では、図６に示すように、ロッドインテグレータ２０１，２０２，２０３のそれぞれ光入射側には各固体光源Ｌ１１〜Ｌ１５，Ｌ２１〜Ｌ２５，Ｌ３１〜Ｌ３５に対応して集光レンズ２１１〜２１５、２２１〜２２５、２３１〜２３５（集光レンズ２２１〜２２５、２３１〜２３５は図示せず）が設けられる。また、各ロッドインテグレータ２０１，２０２，２０３のそれぞれの光射出側には、１枚の集光レンズ２４が設けられる。
なお、ロッドインテグレータ２０１，２０２，２０３は、たとえば、ガラス製のものまたは中空で内面が反射幕で覆われたものなどが使用される。
【００７４】
このように、各固体光源Ｌ１１〜Ｌ１５，Ｌ２１〜Ｌ２５，Ｌ３１〜Ｌ３５と液晶装置１１の各領域Ａ１，Ａ２，Ａ３との間にロッドインテグレータ２０１，２０２，２０３を設けることにより、固体光源Ｌ１１〜Ｌ１５からの光は、それぞれ対応する集光レンズ２１１〜２１５によってロッドインテグレータ２０１に入射され、ロッドインテグレータ２０１を通過した後、集光レンズ２４によって液晶装置１１の領域Ａ３に照射される。
【００７５】
また、固体光源Ｌ２１〜Ｌ２５からの光は、それぞれ対応する集光レンズ２２１〜２２５によってロッドインテグレータ２０２に入射され、ロッドインテグレータ２０２を通過した後、集光レンズ２４によって液晶装置１１の領域Ａ２に照射される。また、固体光源Ｌ３１〜Ｌ３５からの光は、それぞれ対応する集光レンズ２３１〜２３５によってロッドインテグレータ２０３に入射され、ロッドインテグレータ２０３を通過した後、集光レンズ２４によって液晶装置１１の領域Ａ１に照射される。
【００７６】
なお、実施形態２においても、実施形態１と同様、尾引きのあるぼやけた画像表示となるのを防ぐための固体光源Ｌ１１〜Ｌ１５，Ｌ２１〜Ｌ２５，Ｌ３１〜Ｌ３５の点灯制御については、実施形態１の説明で用いた図２に示すようなプロジェクタ制御部１が図３に示すような動作を行わせることによって実施形態１と同様に実施できるので、その説明は省略する。
【００７７】
なお、実施形態２では、集光レンズ２４の存在により、ロッドインテグレータ２０１から射出される固体光源Ｌ１１〜Ｌ１５からの光は、液晶装置１１の領域Ａ３に照射され、ロッドインテグレータ２０２から射出される固体光源Ｌ２１〜Ｌ２５からの光は、液晶装置１１の領域Ａ２に照射され、ロッドインテグレータ２０３から射出される固体光源Ｌ３１〜Ｌ３５からの光は、液晶装置１１の領域Ａ１に照射されるので、液晶装置の領域Ａ１からＡ２，Ａ３の順で表示を行うには、固体光源Ｌ３１〜Ｌ３５，Ｌ２１〜Ｌ２５，Ｌ１１〜Ｌ１５の順で点灯させるようにする。
【００７８】
この実施形態２によれば、実施形態１と同様、尾引きのあるぼやけた画像表示となるのを防止できることは勿論、固体光源Ｌ１１〜Ｌ１５，Ｌ２１〜Ｌ２５，Ｌ３１〜Ｌ３５と各領域Ａ１，Ａ２，Ａ３との間にロッドインテグレータ２０１，２０２，２０３を設けているので、液晶装置１１の各領域Ａ１，Ａ２，Ａ３において、各領域内の照度の均一性をより高めることができる。
【００７９】
また、実施形態２に係るプロジェクタの場合も実施形態１に係るプロジェクタと同様、照度の均一性をより一層高めるため、実施形態１に係るプロジェクタで説明した（ａ）〜（ｃ）の対策をとることが望ましい。
【００８０】
なお、実施形態２に係るプロジェクタにおいては、ロッドインテグレータ２０１，２０２，２０３を用いているので、各領域Ａ１，Ａ２，Ａ３内の照度は、より均一性の高いものとなる。したがって、実施形態１で説明した（ｂ）は、実施形態２においては、ロッドインテグレータを用いることで高い均一性が得られると考えられるが、照度の均一性をより一層高めるために、たとえば、図７に示すように、ロッドインテグレータを各領域Ａ１，Ａ２，Ａ３においてそれぞれ複数個のロッドインテグレータで構成することも可能である。
【００８１】
図７は各領域Ａ１，Ａ２，Ａ３に対応するロッドインテグレータを複数個のロッドインテグレータを並べて構成した場合の断面図である。なお、図７において、領域Ａ１に対応する個々のロッドインテグレータをロッドインテグレータ２０１ａ，２０１ｂ，・・・，２０１ｅ、領域Ａ２に対応する個々のロッドインテグレータをロッドインテグレータ２０２ａ，２０２ｂ，・・・，２０２ｅ、領域Ａ３に対応する個々のロッドインテグレータをロッドインテグレータ２０３ａ，２０３ｂ，・・・，２０３ｅで表す。
【００８２】
この図７の例では、各領域Ａ１，Ａ２，Ａ３における複数のロッドインテグレータは、各領域ごとに設けられた固体光源Ｌ１１〜Ｌ１５，Ｌ２１〜Ｌ２５，Ｌ３１〜Ｌ３５と１対１で対応する数（水平方向に５個、垂直方向に３個）だけ設けた例が示されている。
【００８３】
また、図７からもわかるように、各ロッドインテグレータ２０１ａ，２０１ｂ，２０１ｃ，・・・は、断面が正方形または正方形に近い形状をなし、このようなロッドインテグレータ２０１ａ，２０１ｂ，２０１ｃ，・・・を各領域Ａ１，Ａ２，Ａ３内で水平方向に並べて配置している。
【００８４】
各領域Ａ１，Ａ２，Ａ３に対応するロッドインテグレータを図７に示すような構成とすることによって、各領域Ａ１，Ａ２，Ａ３内の照度の均一性をより一層高めることが可能となり、各領域Ａ１，Ａ２，Ａ３における領域の中心付近（中心を含むものとする）と領域の辺付近（辺を含むものとする）との照度ムラをより小さくすることができる。
【００８５】
なお、図７の例では、各ロッドインテグレータ２０１ａ，２０１ｂ，２０１ｃ，・・・は、固体光源Ｌ１１〜Ｌ１５，Ｌ２１〜Ｌ２５，Ｌ３１〜Ｌ３に対して１対１で対応する数だけ設けた例が示されているが、１対１である必要はないことは勿論である。
【００８６】
また、実施形態１と同様、光源として固体光源Ｌ１１〜Ｌ１５，Ｌ２１〜Ｌ２５，Ｌ３１〜Ｌ３５を用いることにより、瞬時点灯・消灯が可能で、かつ、輝度ムラ・色ムラの少ない照明が可能となる。また、瞬時点灯・瞬時消灯が可能であるということは、高精度でかつ自由なタイミングでの点灯制御が可能となるので、きめこまかい点灯制御を容易に実現することができる。
【００８７】
なお、本発明は上述の実施の形態に限られるものではなく、本発明の要旨を逸脱しない範囲で種々変形実施可能となるものである。
たとえば、実施形態１および実施形態２では、固体光源Ｌ１１〜Ｌ１５、Ｌ２１〜Ｌ２５、Ｌ３１〜Ｌ３５は、各領域Ａ１，Ａ２，Ａ３ごとの固体光源が、順番に所定時間だけ点灯状態となる点灯制御、すなわち、ある１つの領域に対応する固体光源が点灯しているときは、他の領域に対応する固体光源は消灯状態となるような点灯制御を行ったが、これに限られるものではない。たとえば、書き込み中の領域に対応する固体光源のみを消灯し、それ以外のすべての領域に対応する固体光源は点灯状態とするというような点灯制御も可能である。
【００８８】
また、実施形態１および実施形態２では、液晶装置１１のある１つの領域に対応する固体光源としては、水平方向に１列に並べられた５個の固体光源で構成するようにしたが、これに限られるものではなく、それぞれの領域の大きさや形状に応じて、垂直方向および水平方向に任意の数の固体光源を配置した構成とすることが可能である。
また、２次元方向に発光可能な棒状の固体光源があれば、各領域における光源として、その棒状の固体光源を必要な本数だけ設けるようにすることも可能である。
【００８９】
また、実施形態１および実施形態２では、説明の簡単化のため、液晶装置が単板式の例が示されているが、単板式であっても、白色光のＬＥＤなどの固体光源とカラーフィルタを用いることによってカラー表示が可能であることは勿論である。
また、カラー表示を可能とするための方法としては、Ｒ（赤）、Ｇ（緑）、Ｂ（青）のそれぞれの液晶装置を設けた３板式としてもよいことは勿論であり、実施形態１および実施形態２で説明した内容は３板式の場合にも同様に適用できる。
【００９０】
図８は３板式のプロジェクタの光学系を概略的に示す平面図である。この図８は、実施形態２の図６で示したロッドインテグレータ２０１，２０２，２０３を用い場合の構成を示している。図８に示すように、赤用、緑用、青用のそれぞれの液晶装置１１Ｒ，１１Ｇ，１１Ｂがクロスダイクロイックプリズム３１の３面を囲むように設けられている。
【００９１】
そして、これら液晶装置１１Ｒ，１１Ｇ，１１Ｂに対応して、それぞれの液晶装置１１Ｒ，１１Ｇ，１１Ｂの領域Ａ１，Ａ２，Ａ３ごとのロッドインテグレータ２０１，２０２，２０３（図８は平面図であるため、ロッドインテグレータ２０１のみが示されている）と、ＬＥＤなどの各色用の固体光源として、赤用の固体光源Ｌ１１Ｒ〜Ｌ１５Ｒ，Ｌ２１Ｒ〜Ｌ２５Ｒ，Ｌ３１Ｒ〜Ｌ３５Ｒ、緑用の固体光源Ｌ１１Ｇ〜Ｌ１５Ｇ，Ｌ２１Ｇ〜Ｌ２５Ｇ，Ｌ３１Ｇ〜Ｌ３５Ｇ、青用の固体光源Ｌ１１Ｂ〜Ｌ１５Ｂ，Ｌ２１Ｂ〜Ｌ２５Ｂ，Ｌ３１Ｂ〜Ｌ３５Ｂが設けられる。
【００９２】
また、図８は平面図であるため、固体光源Ｌ１１Ｒ〜Ｌ１５Ｒ、固体光源Ｌ１１Ｇ〜Ｌ１５Ｇ、固体光源Ｌ１１Ｂ〜Ｌ１５Ｂのみが示されている。その他、実施形態２の説明で用いた図６と同様に、それぞれ対応する集光レンズ２１１〜２１５とそれぞれ液晶装置側の集光レンズ２４、投写レンズ１３などが設けられ、さらに、図６では省略されているが、偏向板３２なども設けられている。
【００９３】
このような３板式のプロジェクタにおいても、それぞれの色用の固体光源に対し、図３で説明したような動作を行わせることが可能であり、また、実施形態１および実施形態２で説明した（ａ）〜（ｂ）と同様の対策を行うことで、各液晶装置１１Ｒ，１１Ｇ，１１Ｂの各領域間および各領域内における照度の均一性をより一層高めることが可能である。
【００９４】
また、実施形態１および実施形態２では、液晶装置１１のパネル面を３つの領域に区分した例で説明したが、領域数は３つに限られるものではないことは勿論である。
また、実施形態１および実施形態２では、ホールド型の表示モードを有する電気光学変調装置を用いた画像表示装置としてプロジェクタを例にとって説明したが、プロジェクタに限らず、たとえば、液晶テレビジョンなどの直視型の画像表示装置であってもよい。
【図面の簡単な説明】
【００９５】
【図１】本発明の実施形態１に係るプロジェクタの光学系を概略的に示す図。
【図２】図１で示したプロジェクタを制御するためのプロジェクタ制御部の概要を示すブロック図。
【図３】固体光源Ｌ１１〜Ｌ１５，Ｌ２１〜Ｌ２５，Ｌ３１〜Ｌ３５の点灯制御を説明するタイムチャート。
【図４】実施形態１で用いられる拡散板の拡散性能について説明する図。
【図５】固体光源Ｌ１１〜Ｌ１５，Ｌ２１〜Ｌ２５，Ｌ３１〜Ｌ３５と拡散板１２１〜１２３との間に遮蔽板１４１，１４２を設けた例を示す図。
【図６】本発明の実施形態２に係るプロジェクタの光学系を概略的に示す図。
【図７】各領域Ａ１，Ａ２，Ａ３に対応するロッドインテグレータを複数個のロッドインテグレータを並べて構成した場合の断面図。
【図８】３板式のプロジェクタの光学系を概略的に示す平面図。
【符号の説明】
【００９６】
１０・・・実施形態１のプロジェクタ、１１・・・液晶装置、１３・・・投写レンズ、１２１，１２２，１２３・・・拡散板、１０１・・・画像データ表示制御部、１０２・・・光源制御部、１０３・・・液晶装置ドライバ、１４１，１４２・・・遮蔽板、Ｌ１１〜Ｌ１５，Ｌ２１〜Ｌ２５，Ｌ３１〜Ｌ３５・・・固体光源、Ａ１，Ａ２，Ａ３・・・領域、２０・・・実施形態２のプロジェクタ、２４・・・集光レンズ、２０１，２０２，２０３・・・ロッドインテグレータ、２１１〜２１５・・・集光レンズ
【図１】
2006154025.tif 000003
【図２】
2006154025.tif 000004
【図３】
2006154025.tif 000005
【図４】
2006154025.tif 000006
【図５】
2006154025.tif 000007
【図６】
2006154025.tif 000008
【図７】
2006154025.tif 000009
【図８】
2006154025.tif 000010
【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
電気光学変調装置の画像形成領域を複数に区分して得られた各領域を照明する各領域ご
との光源と、
前記光源の点灯制御を行う光源制御部とを有し、
前記光源制御部は、前記電気光学変調装置への画像データの書き込みに同期して前記各領域ごとの光源に対する点灯制御を行い、該点灯制御は、１画面分の画像データ書き込み期間において、前記複数の領域のうちの少なくとも１つの領域に対応する光源が消灯状態となるような点灯制御であることを特徴とする画像表示装置。
【請求項２】
請求項１に記載の画像表示装置において、
前記光源は、固体光源であることを特徴とする画像表示装置。
【請求項３】
請求項１または２に記載の画像表示装置において、
前記複数の領域のうちの少なくとも１つの領域に対応する光源が消灯状態となるような点灯制御は、前記各領域ごとの光源が、順番に所定時間だけ点灯状態となる点灯制御であることを特徴とする画像表示装置。
【請求項４】
請求項１〜３のいずれかに記載の画像表示装置において、
前記複数の領域のうちの少なくとも１つの領域に対応する光源のみが消灯状態となるような点灯制御は、画像データの書き込みを行っている領域については、該領域における画像データの書き込みタイミングに対し所定時間だけ遅延させて該領域に対応する光源を点灯させることを特徴とする画像表示装置。
【請求項５】
請求項１〜４のいずれかに記載の画像表示装置において、
前記光源制御部は、各領域ごとの光源に対し、前記各領域間の照度の均一性を高めるための点灯制御を行うことを特徴とする画像表示装置。
【請求項６】
請求項５に記載の画像表示装置において、
前記各領域間の照度の均一性を高めるための点灯制御は、前記各領域のうち照度の低い領域の照度に他の領域の照度を合わせる点灯制御であることを特徴とする画像表示装置。
【請求項７】
請求項１〜６のいずれかに記載の画像表示装置において、
前記光源制御部は、各領域ごとの光源が複数の光源で構成されている場合、これら複数の光源に対し、各領域内における照度の均一性を高めるための点灯制御を行うことを特徴とする画像表示装置。
【請求項８】
請求項７に記載の画像表示装置において、
前記各領域内における照度の均一性を高めるための点灯制御は、前記各領域内のうち照度の低い部分の照度に他の部分の照度を合わせる点灯制御であることを特徴とする画像表示装置。
【請求項９】
請求項１〜８のいずれかに記載の画像表示装置において、
前記各領域ごとの光源と前記電気光学変調装置の各領域との間に各領域ごとの拡散板を設けたことを特徴とする画像表示装置。
【請求項１０】
請求項９に記載の画像表示装置において、
前記各領域ごとの拡散板は、前記光源からの光の拡散の度合いが各拡散板の面上で異なる拡散性能を有することを特徴とする画像表示装置。
【請求項１１】
請求項１０に記載の画像表示装置において、
前記拡散性能は、前記光源からの光の拡散の度合いが前記領域の辺付近よりも該領域の中心付近でより大きい拡散性能であることを特徴とする画像表示装置。
【請求項１２】
請求項９〜１１のいずれかに記載の画像表示装置において、
前記各領域ごとの拡散板と各領域ごとの光源との間に他の領域に対応する光源からの光を遮蔽する遮蔽板を設けたことを特徴とする画像表示装置。
【請求項１３】
請求項１〜８のいずれかに記載の画像表示装置において、
前記各領域ごとの光源と前記電気光学変調装置の各領域との間に、各領域ごとのロッドインテグレータを設けたことを特徴とする画像表示装置。
【請求項１４】
請求項１３に記載の画像表示装置において、
前記各領域ごとのロッドインテグレータは、対応する領域において複数のロッドインテグレータを並べて構成されることを特徴とする画像表示装置。
【請求項１５】
請求項１４に記載の画像表示装置において、
前記複数のロッドインテグレータの個々のロッドインテグレータは、その断面が正方形または正方形に近い形状であることを特徴とする画像表示装置。
【請求項１６】
請求項１〜１５のいずれかに記載の画像表示装置において、前記画像データの画素値の制御が可能な画像データ表示制御部をさらに有し、該画像データ表示制御部により、前記領域の境界付近の照度と該領域の中心付近の照度との差をより小さくするための画素値の制御を行うことを特徴とする画像表示装置。
【手続補正２】
【補正対象書類名】明細書
【補正対象項目名】００１９
【補正方法】変更
【補正の内容】
【００１９】
（１）本発明の画像表示装置は、電気光学変調装置の画像形成領域を複数に区分して得られた各領域を照明する各領域ごとの光源と、前記光源の点灯制御を行う光源制御部とを有し、前記光源制御部は、前記電気光学変調装置への画像データの書き込みに同期して前記各領域ごとの光源に対する点灯制御を行い、該点灯制御は、１画面分の画像データ書き込み期間において、前記複数の領域のうちの少なくとも１つの領域に対応する光源が消灯状態となるような点灯制御であることを特徴とする。
【手続補正書】
【提出日】平成17年9月29日(2005.9.29)
【手続補正１】
【補正対象書類名】明細書
【補正対象項目名】００２０
【補正方法】変更
【補正の内容】
【００２０】
このように、光源を電気光学変調装置のパネル面の各領域に対応して設け、各領域ごとの光源に対し、１画面分の画像データ書き込み期間において、複数の領域のうち、少なくとも１つの領域に対応する光源が消灯状態となるような点灯制御を行うようにしているので、ある１画面（１フレーム）全体の表示状態が次のフレームまで保持されることがなくなり、尾引きのあるぼやけた画像表示となるのを抑制することができる。
【手続補正２】
【補正対象書類名】明細書
【補正対象項目名】００９３
【補正方法】変更
【補正の内容】
【００９３】
このような３板式のプロジェクタにおいても、それぞれの色用の固体光源に対し、図３で説明したような動作を行わせることが可能であり、また、実施形態１および実施形態２で説明した（ａ）〜（ｃ）と同様の対策を行うことで、各液晶装置１１Ｒ，１１Ｇ，１１Ｂの各領域間および各領域内における照度の均一性をより一層高めることが可能である。